【事件の表示】
　平成　５年特許願第　１５６５４号「動作条件設定装置」拒絶査定に対する審判事件［平成　６年　８月１６日出願公開、特開平　６−２２７０８７］について、次のとおり審決する。
【結　論】
　本件審判の請求は、成り立たない。
【理　由】
１．手続の経緯・本願発明
　　
　本願は、平成　５年　２月　２日の出願であって、その請求項１に係る発明は、平成１４年　７月２９日付手続補正書により補正された明細書の特許請求の範囲の請求項１に記載された以下のとおりのものと認められる（以下、「本願発明」という）。
　　
「【請求項１】　複数の設定項目のそれぞれの動作条件に基づいて所定の動作を実行する作動装置に設けられ、複数の前記設定項目のそれぞれについて所定の動作条件を設定するための設定装置であって、
　設定項目を表示するための表示部と、
　この表示部に表示された設定項目についての動作条件を設定する操作部と、
　設定項目を前記表示部に表示すると共に前記操作部により設定された動作条件に基づいて前記作動装置の動作を制御する制御手段とを備え、
　この制御手段は、前記設定項目の全てを前記表示部に所定の順序で順次表示する第１の表示モードと、前記設定項目のうち一部の設定項目を前記表示部に順次表示する第２の表示モードとを有し、
　設定項目の表示を第１の表示モードで行うかあるいは第２の表示モードで行うかは、操作者が第１の表示モードおよび第２の表示モードで設定する動作条件の１つとなっていることを特徴とする動作条件設定装置。」
　　
２．先願明細書
　　
　当審における平成１４年　５月２３日付拒絶理由通知書の拒絶の理由２．において引用された特願平　４−２８０７９０号（特開平　６−１１０８９１号）の願書に最初に添付された明細書又は図面（以下、「先願明細書」という）には、以下の点が記載されている。
（Ｃ−１）「表示や印字に関連する複数の設定項目およびそれらに予め設定された設定データを記憶する設定情報記憶手段と、
　前記複数の設定項目のうちの所望のものを常用設定項目として選択する為の項目選択手段と、
　前記項目選択手段で選択された常用設定項目のみを設定する第１モードと、前記複数の設定項目の全項目を設定する第２モードとを択一的に切替選択するモード設定手段と、
　前記設定項目の設定時に、前記第１モードのときには、設定情報記憶手段内の記憶データのうち、前記項目選択手段で選択された常用設定項目の記憶データを読み出して表示手段に表示させ、また、前記第２モードのときには、全部の設定項目の記憶データを読み出して表示手段に表示させる読出し手段と、
　を備えたことを特徴とする文書作成装置。」（特許請求の範囲の請求項２）
（Ｃ−２）「キーボード３には、アルファベットやひらがなや数字や記号などを入力する為の文字キー、スペースキー、ディスプレイ５に表示された文字列を右方或いは左方へスクロールさせるカーソル右移動キーおよびカーソル左移動キー、変換キー、文字入力モードを「ローマ字」と「ひらがな」と「アルファベット」のうちから択一的に切換えて設定する為の入力モード切換えキー、印字を実行する印字キー、印字用テープ６をテープ送りする為のテープ送りキー、電源をＯＮ・ＯＦＦする為の電源キー等が設けられている。
　更に、キーボード３には、本発明特有のキーとして、印字や表示に関連する書式等を設定する際に入力画面から項目設定モードに切替える為の項目設定キー、複数の設定項目のうちの所望のものを常用設定項目として選択する項目選択モードに切替える項目選択キー、常用設定項目を指定する為の常用指定キー、常用設定項目のみを設定する第１モードと複数の設定項目の全項目を設定する第２モードとを予め設定する為のモード設定キー、第１モードと第２モードとを切替える為のモード切替キー、項目設定時に設定項目の設定内容を表示させる為の選択キー、設定内容を変更させる為の実行キー、設定モードを終了させる為の終了キー等が設けられている。」（明細書の段落【０００９】）
（Ｃ−３）「次に、テープ印字装置１の制御系は、図４のブロック図に示すように構成されている。即ち、この制御系では、キーボード３と、液晶ディスプレイ（ＬＣＤ）５に表示データを出力する為の表示用ＲＡＭを有するディスプレイコントローラ（ＬＣＤＣ）２３と、…制御装置Ｃの入出力インターフェース２７に夫々接続されている。」（明細書の段落【００１１】）
（Ｃ−４）「更に、ＲＯＭ３２には、本発明特有の制御プログラムとして、設定情報記憶手段としての印字フォーマットメモリ４２に格納された印字等に関連する複数の設定項目およびそれらに予め設定された設定内容データのうちの所望のものを常用設定項目として選択する為の項目選択制御プログラムと、選択された常用設定項目のみを設定する第１モードと、複数の設定項目の全項目を設定する第２モードとを択一的に切替選択するモード設定制御プログラムと、設定項目の設定時に、第１モードのときには、設定情報記憶手段内の記憶データのうち常用設定項目の記憶データを読み出して表示させ、また、第２モードのときには、全部の設定項目の記憶データを読み出して表示させる読出し制御プログラム等が格納されている。」（明細書の段落【００１４】）
（Ｃ−５）「図８はモード切替処理の制御のルーチンを示すフローチャートであり、この図に基いて予めモードを切替えておく処理について説明する。文書入力画面でモード設定キーの入力があれば（Ｓ８：Ｙｅｓ）、この処理が開始され、先ず、モードフラグＭＦに応じて第１モードか第２モードかの何れか一方を表示し（Ｓ２４）、操作者がモード切替キーを入力したならば（Ｓ２５：Ｙｅｓ）、モードフラグＭＦがセット（セット状態で「１」）されているか否か判断される（Ｓ２６）。
　モードフラグＭＦがセットされているときは（Ｓ２６：Ｙｅｓ）、第１モードであるから、この状態でモード切替キーの入力があれば（Ｓ２５：Ｙｅｓ）、第２モードに切替える為、モードフラグＭＦをリセットし（Ｓ２７）、第２モードに設定されたことを表示する（Ｓ２８）。
　モードフラグＭＦがセットされていないときは（Ｓ２６：Ｎｏ）、第２モードであるから、この状態で切替キーの入力があれば（Ｓ２５：Ｙｅｓ）、モードフラグＭＦをセットし（Ｓ２９）、第１モードに設定されたことを表示後（Ｓ２８）、入力画面に戻る（Ｓ２）。」（明細書の段落【００２２】）
（Ｃ−６）「図９は設定項目処理の制御のルーチンを示すフローチャートである。この図に基いて項目設定処理を説明すると、入力画面から項目設定キーが入力されると（Ｓ１０：Ｙｅｓ）、この処理が開始され、先ず、モードフラグＭＦがセットされているか否か判断され（Ｓ３１）、セットされているときは（Ｓ３１：Ｙｅｓ）、常用設定項目のみを表示する第１モード処理に移行し（Ｓ３２）、セットされていないときは設定項目の全てを表示する第２モード処理に移行する（Ｓ３３）。」（明細書の段落【００２３】）
（Ｃ−７）「図１０は第１モード処理の制御のルーチンを示すフローチャートである。この図に基いて常用設定項目のみを表示する第１モード処理について説明すると、先ず、この処理が開始されると、終了フラグＯＦがリセットされ、ブロックカーソルフラグＳＦがセット（セット状態で「１」）される（Ｓ３５）。そして、カウンタｎが「１」にセットされ（Ｓ３６）、次にカウンタｎがＮ0 （本実施例ではＮ0 ＝４）よりも大か否か判断される（Ｓ３７）。例えば、第１設定項目「縦・横」の場合、ｎ＜Ｎ0 であるから（Ｓ３７：Ｎｏ）、次に第１設定項目が常用設定項目か否か判断するため、常用設定項目フラグＪＦｎがセットされているか否か判断される（Ｓ３８）。その判断の結果、セットされていれば（Ｓ３８：Ｙｅｓ）、その設定項目を表示し（Ｓ３９）、設定内容の変更処理に移行する（Ｓ４０）。」（明細書の段落【００２４】）
（Ｃ−８）「常用設定項目フラグＪＦｎがセットされていなければ（Ｓ３８：Ｎｏ）、カウンタを１つインクリメントし、次の項目の常用設定項目フラグがセットされているか否か判断される（Ｓ３８）。このルーチンは、最終設定項目（本実施例では、第４設定項目）まで繰り返される。
　そして、最終項目まで設定したならば（Ｓ３７：Ｙｅｓ）、終了フラグＯＦをセットし（Ｓ４２）、終了表示を行う（Ｓ４３）。尚、終了フラグＯＦをセットするのは、次の設定内容変更処理において、終了フラグがセットされているときのみ、終了キーを受け付ける為である。」（明細書の段落【００２５】）
（Ｃ−９）「図１１は設定内容変更処理の制御のルーチンを示すフローチャートである。この設定内容変更処理を説明する前に図１３〜図１６に示す変更処理の基本的操作を説明する。
　図１３は印字状態の複数の設定項目の切替方法を示すもので、スペース、項目設定マーク「▲」、文字列「ＡＢＣ」及びスペースの６文字表示画面の文書入力画面（Ｓ７０）から、項目設定キーを入力すると、先ず縦・横設定項目が表示され（Ｓ７１）、この状態からカーソル右移動キーを入力する毎に、設定項目が変更し、サイズ、文字間、書体を表示する（Ｓ７２、Ｓ７３、Ｓ７４）。最終項目表示後には、カーソル右移動キーを入力すると、「設定おわり？」の終了表示が行われ（Ｓ７５）、更にカーソル右移動キーを操作すると、最初の項目表示が行われる（Ｓ７１）。これは、全ての設定項目を表示する第２モードを示すもので、この第２モードで、設定内容を変更するには、図１４に示す操作を行う。」（明細書の段落【００２６】）
（Ｃ−１０）「このように、第１モードでは、設定変更不要とされた設定項目に関する表示を一切行わないので、カーソル右移動キー等の余分なキー操作が省略でき、設定変更時の操作を簡略化することができる。
　また、常用設定項目のみを設定する第１モードか、複数の設定項目の全項目を設定する第２モードとを択一的に切替選択するので、その使い勝手が大幅に増大する。」（明細書の段落【００３４】）
（Ｃ−１１）「また、モード切替処理は、上記実施例では、項目設定処理と別々に行ったが、項目設定時に、モードの切替処理を行うよう構成してもよい。」（明細書の段落【００３６】）
（Ｃ−１２）「請求項２に係る文書作成装置によると、設定項目の設定時に常用設定項目のみを読み出すか、全部の設定項目を読み出すか選択できるので、操作者の使い勝手が増大するといった効果が期待できる。」（明細書の段落【００３７】）
　これら（Ｃ−１）〜（Ｃ−１２）の記載を含む明細書及び図面の記載からみて、先願明細書には、次のような発明（以下、「先願発明」という）が記載されていると認められる。
「複数の設定項目のそれぞれの動作条件に基づいて所定の動作を実行する文書作成装置に設けられ、複数の前記設定項目のそれぞれについて所定の動作条件を設定するための設定装置であって、
　設定項目を表示するためのディスプレイ５と、
　このディスプレイ５に表示された設定項目についての動作条件を設定するキーボード３と、
　設定項目を前記ディスプレイ５に表示すると共に前記キーボード３により設定された動作条件に基づいて前記文書作成装置の動作を制御する制御装置Ｃとを備え、
　この制御装置Ｃは、前記設定項目の全てを前記ディスプレイ５に所定の順序で順次表示する第２モードと、常用設定項目を前記ディスプレイ５に順次表示する第１モードとを有し、
　設定項目の表示を第２モードで行うかあるいは第１モードで行うかは、第１モードと第２モードとを切替える為のモード切替キーの入力により切替えるか、あるいは、設定項目の設定時に、モードの切替処理を行うことにより設定する動作条件設定装置。」
　　
３．対比・判断
　　
　本願発明と先願発明とを対比する。
　先願発明の「文書作成装置」、「ディスプレイ５」、「キーボード３」、「制御装置Ｃ」、「第２モード」、「常用設定項目」、及び、「第１モード」は、それぞれ、本願発明の「作動装置」、「表示部」、「操作部」、「制御手段」、「第１の表示モード」、「設定項目のうち一部の設定項目」、及び、「第２の表示モード」に相当する。
  そうすると、両者は、
「複数の設定項目のそれぞれの動作条件に基づいて所定の動作を実行する作動装置に設けられ、複数の前記設定項目のそれぞれについて所定の動作条件を設定するための設定装置であって、
　設定項目を表示するための表示部と、
　この表示部に表示された設定項目についての動作条件を設定する操作部と、
　設定項目を前記表示部に表示すると共に前記操作部により設定された動作条件に基づいて前記作動装置の動作を制御する制御手段とを備え、
　この制御手段は、前記設定項目の全てを前記表示部に所定の順序で順次表示する第１の表示モードと、前記設定項目のうち一部の設定項目を前記表示部に順次表示する第２の表示モードとを有する動作条件設定装置。」
である点で一致し、
　設定項目の表示を第１の表示モードで行うかあるいは第２の表示モードで行うかについて、本願発明では操作者が第１の表示モードおよび第２の表示モードで設定する動作条件の１つとなっているのに対し、先願発明では第１の表示モードと第２の表示モードとを切替える為のモード切替キーの入力により切替えるか、あるいは、設定項目の設定時にモードの切替処理を行うことにより設定する点で、一応相違する。
　　
　そこで、上記相違点について検討する。
　　
　まず、先願発明における、設定項目の設定時の動作については、
「文書入力画面でモード設定キーの入力があれば（Ｓ８：Ｙｅｓ）、この処理が開始され、」（上記（Ｃ−５））、
「その設定項目を表示し（Ｓ３９）、設定内容の変更処理に移行する（Ｓ４０）。」（上記（Ｃ−７））、
「そして、最終項目まで設定したならば（Ｓ３７：Ｙｅｓ）、終了フラグＯＦをセットし（Ｓ４２）、終了表示を行う（Ｓ４３）。」（上記（Ｃ−８））、
「図１３は印字状態の複数の設定項目の切替方法を示すもので、スペース、項目設定マーク「▲」、文字列「ＡＢＣ」及びスペースの６文字表示画面の文書入力画面（Ｓ７０）から、項目設定キーを入力すると、先ず縦・横設定項目が表示され（Ｓ７１）、この状態からカーソル右移動キーを入力する毎に、設定項目が変更し、サイズ、文字間、書体を表示する（Ｓ７２、Ｓ７３、Ｓ７４）。最終項目表示後には、カーソル右移動キーを入力すると、「設定おわり？」の終了表示が行われ（Ｓ７５）、」（上記（Ｃ−９））、
と記載されている。
　また、モードの切替処理については
「常用設定項目のみを設定する第１モードと複数の設定項目の全項目を設定する第２モードとを予め設定する為のモード設定キー、第１モードと第２モードとを切替える為のモード切替キー、項目設定時に設定項目の設定内容を表示させる為の選択キー、設定内容を変更させる為の実行キー、設定モードを終了させる為の終了キー等が設けられている。」（上記（Ｃ−２））、
「選択された常用設定項目のみを設定する第１モードと、複数の設定項目の全項目を設定する第２モードとを択一的に切替選択するモード設定制御プログラムと、」（上記（Ｃ−４））、
「操作者がモード切替キーを入力したならば（Ｓ２５：Ｙｅｓ）、モードフラグＭＦがセット（セット状態で「１」）されているか否か判断される（Ｓ２６）。
　モードフラグＭＦがセットされているときは（Ｓ２６：Ｙｅｓ）、第１モードであるから、この状態でモード切替キーの入力があれば（Ｓ２５：Ｙｅｓ）、第２モードに切替える為、モードフラグＭＦをリセットし（Ｓ２７）、第２モードに設定されたことを表示する（Ｓ２８）。
　モードフラグＭＦがセットされていないときは（Ｓ２６：Ｎｏ）、第２モードであるから、この状態で切替キーの入力があれば（Ｓ２５：Ｙｅｓ）、モードフラグＭＦをセットし（Ｓ２９）、第１モードに設定されたことを表示後（Ｓ２８）、入力画面に戻る（Ｓ２）。」（上記（Ｃ−５））、
と記載されている。
　すなわち、上記記載によれば、モード切替処理と項目設定処理とは別々に行われるものである。
　ここで、先願明細書には、上記（Ｃ−１１）において示したとおり、
「また、モード切替処理は、上記実施例では、項目設定処理と別々に行ったが、項目設定時に、モードの切替処理を行うよう構成してもよい。」
と記載されている。
　この記載についてさらに検討すると、この記載は、モード切替処理を行うにあたり、項目設定処理と別々にモード切替処理を行う代わりに、モード切替処理そのもの、すなわち、第１モードで設定を行うか、第２モードで設定を行うかということそれ自体を項目設定時の設定項目としてもよいということを示しているものと認められる。
　そうすると、
「項目設定時に、モードの切替処理を行うよう構成」
することは、
「第１の表示モードにするか第２の表示モードにするかを、第１の表示モードおよび第２の表示モードの設定項目の１つとすること」、
すなわち、
「設定項目の表示それ自体が操作者が第１の表示モードおよび第２の表示モードで設定する動作条件の１つとなっている」
ことで置き換え可能であることが記載されているものであり、先願発明と本願発明との間に実質的差異は存在しない。
　　
　なお、請求人は平成１４年　７月２９日付意見書において、
「本願発明と引用例Ｃに記載された発明（引用発明Ｃ）とは、構成要素（ａ）〜（ｅ）および（ｇ）の点では確かに一致する。しかしながら、本願発明では構成要素（ｆ）を有している点で、かかる構成要素がない引用発明Ｃとは相違する。
　この相違点について、さらに説明する。
　引用発明Ｃでは、複数の設定項目の全項目を設定する第２モードにおける表示モード（本願発明の第１の表示モードに相当する）と、複数の設定項目のうちの常用設定項目のみを設定する第１モードにおける表示モード（本願発明の第２の表示モードに相当する）とがある（引用例Ｃの段落００３４の記載を参照）。設定項目としては、図７に示されるように、「縦・横」「サイズ」「文字間」「書体」の４つがあり、操作者が任意の設定項目を常用設定項目に指定することができるように構成されている。
　しかしながら、引用発明Ｃの場合には、複数の設定項目の全項目を設定する第２モードにおける表示モード（本願発明の第１の表示モードに相当する）で行うか、複数の設定項目のうちの常用設定項目のみを設定する第１モードにおける表示モード（本願発明の第２の表示モードに相当する）で行うかは、第２モードおよび第１モードで設定する設定項目の中に含まれていない。
　このため、引用発明Ｃでは、キーボード３に、第１モードと第２モードとを切替える為のモード切替キーを設け（段落０００９の記載を参照）、この専用のモード切替キーからの入力があれば、第１モードと第２モードとを切り替え、各モードの表示モードに切り替えている（段落００２２の記載および図８を参照）。
　このように、引用発明Ｃでは、設定項目の中に表示モードを設定する項目が含まれていないために、表示モードを変更するためにモード切替キーという新たな部材が必要になる。
　これに対して、本願発明の動作条件設定装置は、設定項目の表示を第１の表示モードで行うかあるいは第２の表示モードで行うかは、操作者が第１の表示モードおよび第２の表示モードで設定する動作条件の１つとなっている。
　第１の表示モードにするか第２の表示モードにするかを、第１の表示モードおよび第２の表示モードの設定項目の１つとすることにより、表示モードの変更を、各表示モードの中に含まれている設定項目で行えるので、第１の表示モードと第２の表示モードとを切り替えるために専用の部材を追加する必要が無いという効果を奏する。
　このように、本願発明は、構成要素「（ｆ）設定項目の表示を第１の表示モードで行うかあるいは第２の表示モードで行うかは、操作者が第１の表示モードおよび第２の表示モードで設定する動作条件の１つとなっている」の点で引用発明Ｃと相違し、「表示モードを変更するために新たな部材を追加する必要がない。」という特段の作用効果を奏するので、引用発明Ｃと同一ではない。」（第７頁１１行〜第８頁１７行）
と主張しているが、
「設定項目の表示を第１の表示モードで行うかあるいは第２の表示モードで行うかは、操作者が第１の表示モードおよび第２の表示モードで設定する動作条件の１つとなっている」
点は、上述のとおり、先願明細書の段落【００３６】（上記（Ｃ−１１））に記載されているものであり、かかる構成を採用すれば、表示モードを変更するためにモード切替キーのような専用の部材を設ける必要がないことは明らかであるから、この主張は採用できない。
　　
４．むすび
　　
　したがって、本願発明は、先願明細書に記載された先願発明と同一であると認められ、しかも、本願発明の発明者が上記先願明細書に記載された発明の発明者と同一であるとも、また本願の出願の時に、その出願人が上記先願発明に係る出願の出願人と同一であるとも認められないので、本願発明は、特許法第２９条の２の規定により特許を受けることができない。
　　
　よって、当審における平成１４年　５月２３日付拒絶理由通知書の拒絶の理由１．について検討するまでもなく、結論のとおり審決する。